(57)【特許請求の範囲】
【請求項１】
基材であるアルミニウム箔と、前記アルミニウム箔の一方の面を覆い前記アルミニウム箔の地色が透過する白色ベタ印刷層と、前記白色ベタ印刷層の表面を覆う耐熱コート層と、前記アルミニウム箔の他方の面を覆う層であって、前記耐熱コート層側の面が加熱されることによって相手方の容器シートに熱接着されるヒートシール層とを備えたＰＴＰ用の包装シートにおいて、
前記アルミニウム箔と前記白色ベタ印刷層との間に、前記アルミニウム箔の部分を覆う透明又は半透明の下地印刷層が設けられ、前記下地印刷層には所定形状で印刷層のない抜き部が形成され、
前記アルミニウム箔の一方の面は、前記抜き部を覆った前記白色ベタ印刷層と、前記下地印刷層を覆った前記白色ベタ印刷層とで、前記下地印刷層の有無により、前記アルミニウム箔の地色が透過した前記白色ベタ印刷層の色調が異なり、前記白ベタ印刷層の色調の差により、文字又は絵柄が表示されることを特徴とするＰＴＰ用の包装シート。
【請求項２】
前記白色ベタ印刷層の表面の前記抜き部と重ならない位置に、情報印刷層が設けられた請求項１記載のＰＴＰ用の包装シート。
【請求項３】
前記下地印刷層の主剤は、塩化ビニル−酢酸ビニル系共重合体、アクリル系樹脂又はエポキシ系樹脂であり、
前記白色ベタ印刷層は、主剤である塩化ビニル樹脂、塩化ビニル−酢酸ビニル共重合体、変性ポリオレフィン樹脂又はエポキシ樹脂に、白色インキが配合されたものである請求項１又は２記載のＰＴＰ用の包装シート。
【発明の詳細な説明】
【技術分野】
【０００１】
この発明は、収容部が形成された容器シートに熱接着され、錠剤やカプセル等が入れられた収容部を閉鎖するＰＴＰ用の包装シートに関する。
【背景技術】
【０００２】
ＰＴＰ（press through package）は、図２に示すＰＴＰ１０のように、樹脂製の容器シート１２に形成された収容部１２ａ内に小形の錠剤１４等を入れ、包装シート１６を容器シート１２の平面部１２ｂに貼りつけ、収容部１２ａの開口を閉鎖する包装形態である。この種の包装形態は、従来から薬用の錠剤やカプセル等の包装に広く用いられ、包装シート１６には、錠剤等の商品名、成分と含量、識別番号等の文字、バーコード等の主要情報と、リサイクルマーク、企業名、装飾用の絵柄等の補助的情報が表示される。
【０００３】
包装シート１６の基材は、例えばアルミニウム箔が使用される。アルミニウム箔を用いた包装シート１６は、開封するとき、収容部１２ａ内の錠剤１４を収容部１２ａの外側から包装シート１６内面側へ強く押し当て、包装シート１６を突き破って取り出すタイプのＰＴＰ１０に適している。また、包装シート１６を容器シート１２に貼り付ける場合、包装シート１６の一方の面に設けたヒートシール層を容器シート１２の平面部１２ｂに当接させ、包装シート１６の他方の面に設けた耐熱コート層の側から加熱し、ヒートシール層を平面部１２ｂに溶着させる方法が用いられる。
【０００４】
従来、アルミニウム箔を基材とするＰＴＰ用の包装シートとして、特許文献１に開示されているように、アルミニウム箔の一方の面を覆う白着色層と、白着色層の表面に印刷されたバーコード部と、白着色層及びバーコード部を覆うオーバーコート層と、アルミニウム箔の他方の面を覆う熱接着層とを備えた包装用シートがある。この包装用シートは、バーコード部をオーバーコート層の側から確認することができ、バーコードリーダ等によって読み取られる。白着色層は、所定量の白色顔料を含み、バーコードリーダがバーコード部の内容を読み取りやすいように、バーコード部とのコントラストをはっきりさせる働きをする。また、同様の目的で、アルミニウム箔と白着色層との間に透明又は半透明の下地層を設ける構造も記載されている。
【先行技術文献】
【特許文献】
【０００５】
【特許文献１】特開２０１０−２６４７５７号公報
【発明の概要】
【発明が解決しようとする課題】
【０００６】
近年、包装シート１６の表示内容には、錠剤の商品名等の主要情報の他に、リサイクルマーク等の補助的情報が記載され、包装シート１６の表面に表示される情報量が多くなる傾向があった。そのため、主要情報は目立つように表示し、補助的情報は控えめに表示することが求められる。情報表示に差を持たせる方法として、主要情報と補助的情報を表わす文字等の大きさに差を付けることが考えられるが、小さい表示は見にくいので、通常は色分けをする必要があった。色分けした情報表示を行う場合、特許文献１に開示された従来の包装用シート等では、着色が異なる複数の印刷層を設けるため、製造時の印刷工程数が増加し、コストアップの要因になるという問題があった。
【０００７】
この発明は、上記背景技術に鑑みて成されたもので、印刷層の増加を抑えつつ、異なる表示形態で文字や絵柄等の多くの情報を表示することができるＰＴＰ用の包装シートを提供することを目的とする。
【課題を解決するための手段】
【０００８】
この発明は、基材であるアルミニウム箔と、前記アルミニウム箔の一方の面を覆い前記アルミニウム箔の地色が透過する白色ベタ印刷層と、前記白色ベタ印刷層の表面を覆う耐熱コート層と、前記アルミニウム箔の他方の面を覆う層であって、前記耐熱コート層側の面が加熱されることによって相手方の容器シートに熱接着されるヒートシール層とを備えたＰＴＰ用の包装シートであって、前記アルミニウム箔と前記白色ベタ印刷層との間に、前記アルミニウム箔の部分を覆う透明又は半透明の下地印刷層が設けられ、前記下地印刷層には所定形状で印刷層のない抜き部が形成され、前記アルミニウム箔の一方の面は、前記抜き部を覆った前記白色ベタ印刷層と、前記下地印刷層を覆った前記白色ベタ印刷層とで、前記下地印刷層の有無により、前記アルミニウム箔の地色が透過した前記白色ベタ印刷層の色調が異なり、前記白ベタ印刷層の色調の差により、文字又は絵柄が表示されるＰＴＰ用の包装シートである。
【０００９】
前記白色ベタ印刷層の表面の前記抜き部と重ならない位置に、情報印刷層が設けられている。また、前記下地印刷層の主剤は、塩化ビニル−酢酸ビニル系共重合体、アクリル系樹脂又はエポキシ系樹脂であり、前記白色ベタ印刷層は、主剤である塩化ビニル樹脂、塩化ビニル−酢酸ビニル共重合体、変性ポリオレフィン樹脂、又はエポキシ樹脂に、白色インキが配合されたものであることが好ましい。
【発明の効果】
【００１０】
この発明のＰＴＰ用の包装シートは、アルミニウム箔の地色が透過する白色ベタ印刷層を有し、透明または半透明の下地印刷層のある白色ベタ印刷層部分は、下地印刷層を介してアルミニウム箔の地色が見えるとともに、下地印刷層のない抜き部からは、アルミニウム箔の地色が下地印刷層を介さずに白色ベタ印刷層を通して見え、結果として、下地印刷層の有無により色調の差が生じ、文字や絵柄等を表すことができる。従って、特別な印刷層を設けることなく、下地印刷層に部分的な抜き部を設けるだけで、アルミニウム箔の地色が見える全面の白色ベタ印刷層の中に、部分的に容易に目立たない表示を行うことができる。しかも、商品名等の主要情報は情報印刷層を用いて目立つようにクリアに表示し、それと対照的に、リサイクルマーク等の補助的情報は、目立たず正確に表示することができる。
【図面の簡単な説明】
【００１１】
【図１】この発明のＰＴＰ用の包装シートの一実施形態を示す断面図である。
【図２】ＰＴＰの基本構成を説明する断面図である。
【発明を実施するための形態】
【００１２】
以下、この発明のＰＴＰ用の包装シートの一実施形態について、図１に基づいて説明する。この実施形態の包装シート２０は、図２に示すＰＴＰ１０における従来の包装用シート１６に代えて使用される包装シートである。
【００１３】
包装シート２０は、図１に示すように、アルミニウム箔２２が基材に用いられている。アルミニウム箔２２は、容器シート１２に収容された錠剤等の固形物１４を取り出すときに破れやすいように、１０〜３０μｍ程度の厚さの硬質又は軟質のアルミニウム箔が使用されている。また、一般に、アルミニウム箔は、一方の面が光沢面（鏡面）で他方が艶消面（マット面）になっているタイプ、両面とも光沢面（鏡面）になっているタイプ、両面とも艶消面（マット面）になっているタイプの３タイプがあるが、このアルミニウム箔２２は、一方の面が光沢面、他方の面が艶消面になっている。
【００１４】
アルミニウム箔２２の光沢面側は、透明又は半透明の下地印刷層２４で広い部分が覆われている。下地印刷層２４の主剤は、塩化ビニル−酢酸ビニル系共重合体、アクリル系樹脂又はエポキシ系樹脂であることが好ましい。下地印刷層２４で覆わない抜き部２８は、所定の文字や絵柄等の形状になっている。下地印刷層２４は、例えば、抜き部２８の形状を残して開口した印刷版等を用いて印刷することができる。
【００１５】
下地印刷層２４及び抜き部２８は、アルミニウム箔２２の地色が透過する白色ベタ印刷層２６で覆われている。白色ベタ印刷層２６は、印刷用の希釈剤であるメジウムと白色顔料を含むインキとを混合した液状の塗工樹脂を、下地印刷層２４及び抜き部２８の全面に塗布し、乾燥させることによって形成することができる。メジウムは、例えば、主剤である塩化ビニル樹脂に分子架橋促進用のアミノ樹脂を配合した固形分を、適量のシンナー等の溶剤で希釈したものを用いる。メジウムの主剤に用いられる樹脂は、塩化ビニル樹脂に代えて塩化ビニル−酢酸ビニル共重合体、変性ポリオレフィン樹脂又はエポキシ樹脂を用いてもよく、後述する情報印刷層２６の主剤として用いられる樹脂と同様のものを選択することが望ましい。白色顔料を含むインキは、メジウムの固形分と同様の組成に白色顔料となる酸化チタン等を配合した固形分を、適量のシンナー等の溶剤で希釈したものを用いる。
【００１６】
白色ベタ印刷層２６の表面には、抜き部２８と重ならない位置に、錠剤等の商品名、成分と含量、識別番号等の文字、バーコード等の主要情報が表された情報印刷層３０が設けられている。情報印刷層３０は、主剤が白色ベタ印刷層２６と同様の塩化ビニル樹脂で、そこに黒色、青色又は茶色等の着色顔料が配合されて成るインキをグラビア印刷方式等により印刷し、乾燥させることによって形成される。
【００１７】
白色ベタ印刷層２６及び情報印刷層３０の表面は、耐熱コート層３２で覆われている。耐熱コート層３２は、包装シート２０が容器シート１２に熱接着される際に加熱されるので、例えば、１９０〜２３０℃のヒートシールバーで３ｋｇ/ｃｍ２、２ｓｅｃの加圧を行って、表面状態に変色、炭化、粘り等の変化が生じない等の条件を満たす耐熱性が求められる。従って、耐熱コート層３２は、エポキシ樹脂、ニトロセルロース、又はアクリル系樹脂を主剤とするコート剤が好適であり、情報印刷層３０等の表示を視認できるように透明なものが用いられている。
【００１８】
アルミニウム箔２２の裏側の面は、ヒートシール層３４で覆われている。ヒートシール層３４は、包装シート２０が容器シート１２に熱接着される際、平面部１２ｂに当接して溶着する層であり、容器シート１２及びアルミニウム箔２２に対して良好に接着可能な材料を選択する必要がある。良好な接着とは、１４０〜１６０℃のヒートシールバーを用いて２〜３ｋｇ/ｃｍ２、１ｓｅｃの加圧を行って熱接着したとき、０．６〜１ｋｇ/ｍ２以上の剥離強度が得られることをいう。例えば、容器シート１２の材質がポリ塩化ビニル樹脂（ＰＶＣ樹脂）、ポリプロピレン樹脂（ＰＰ樹脂）、ポリエチレンテレフタレート樹脂（ＰＥＴ樹脂）であれば、ヒートシール層３０は、容器シート１２と同一の樹脂又は特定の樹脂を混合したものを主剤とする樹脂コート剤を使用することが好ましい。
【００１９】
ここでは、容器シート１２及びヒートシール層３４が透明であり、アルミニウム箔２２の裏側の面にも装飾用の絵柄や文字等を表した情報印刷層３６を設け、ＰＴＰ１０の容器シート１２の側から視認できるようになっている。
【００２０】
以上説明したように、この実施形態のＰＴＰ用の包装シート２０は、下地印刷層２４の外側の白色ベタ印刷層２６部分は、下地印刷層２４を介してアルミニウム箔２２の地色が見える。また、下地印刷層２４のない抜き部２８では、アルミニウム箔２２の地色が白色ベタ印刷層２６を介して見える。この結果、白色ベタ印刷層２６の色調は、下地印刷層２４上と抜き部２８上で異なり、その色調の差によって、抜き部２８による補助的情報である文字や絵柄等が現れ、特別な印刷層を設けることなく容易に表示を行うことができる。しかも、抜き部２８の部分にアルミニウム箔２２のメタリックな色調が適度な濃さで現れ、文字や絵柄等を目立たなく、上品に表示することができる。従って、例えば、商品名等の主要情報は、情報印刷層３０を用いて目立つようにクリアに表示し、それと対照的に、リサイクルマーク等の補助的情報は、抜き部２８を用いて控えめに表示にすることができる。
【００２１】
なお、この発明の包装シートは、上記実施形態に限定されるものではなく、例えば、耐熱コート層にマット剤を混合してもよい。マット剤は、耐熱コート層２８の厚み（例えば、１．６〜２μｍ）よりも大きな粒径（例えば、２〜３μｍ）のシリカやバリウム等の粉末であって、主剤であるエポキシ樹脂等に対して、２〜５質量％程度の割合で配合するのが好ましい。これにより、耐熱コート層の表面からマット剤の一部が突出することによって微細な凹凸を形成し、照射光を及び反射光を散乱させ、情報印刷層２６の視認性をさらに向上させることができる。
【００２２】
また、白ベタ印刷層及び下地層の厚みは、抜き部で表示される文字や絵柄等の濃淡を調整するため、自由に変更することができる。
【符号の説明】
【００２３】
１０  ＰＴＰ
１２  容器シート
２０  包装用シート
２２  アルミニウム箔
２４  下地印刷層
２６  白色ベタ印刷層
２８  抜き部
３０，３６  情報印刷層
３２  耐熱コート層
３４  ヒートシール層
【図１】
0005950511.tif 000002
【図２】
0005950511.tif 000003